(57)【要約】      （修正有）【課題】素材をサイコロ状の均一な粒のみじん切りにすることのできるシンプルな構造の安全で使い易い装置を提供する。【解決手段】床面の長手方向を３分する２つの段差５を有し中間の低い床１５上に長手方向に平行に複数の両刃の切り目入れ刃４を横並びに間隔をあけて設け中間の低い床を挟む２つの高い方の床１４の段差側の各ふちに削ぎ切り刃３を水平に設けた刃部本体と、素材を捕捉して支持固定する保持手段と素材を垂直軸周りに９０度回転させる回転手段とを有する素材保持回転部２とでみじん切り装置を構成している。【選択図】図１
2018094709.tif 000002
【特許請求の範囲】
【請求項１】
長方形の板の上面に床面を有し前記床面を長手方向で３分するよう２箇所に垂直高さが１〜１０ミリの段差を設け中間の床が他の床面よりも段差分だけ低い床であって前記中間の床上に刃渡りが前記段差の高さの２〜２．５倍の長さである複数の先の尖った両刃の切り目入れ刃を刃面を長手方向に平行にして刃の尖端を上に向けて横並びに間隔をあけて設け前記中間の床を挟む両側の二つの床のそれぞれの段差側の縁に切り削ぎ刃を中間の床方向に向けて水平に設けた刃付き床板と、素材を捕捉して支持固定する保持手段と素材を垂直軸周りに９０度回転させる回転手段とを有する素材保持回転部とで構成された、みじん切り装置。
【発明の詳細な説明】
【技術分野】
【０００１】  本発明は玉ねぎ等の素材をみじん切りにする道具に関する。
【背景技術】
【０００２】  従来、玉ねぎをみじん切りにする方法として知られている人手による方法は、先ず玉ねぎを縦半分に切り、切り口を下にして置き、根元を切り離さないように繊維に沿って縦に数ミリ間隔で切り目を入れ、次に水平に２、３本切り込みを入れ、繊維と直角に細かく切っていき、粗くなってしまった分や最後に残ってしまった部分は、まとめてまな板上でトントンと刻むやり方であった。【０００３】  すなわち、従来のやり方は、玉ねぎを手で掴み包丁を手に持ち、まな板上で玉ねぎに繊維に沿って縦の平行な切り目を入れ、次に包丁の刃を水平にして２，３本の切り目を入れ、繊維に直角に細かく切っていき、切り目の入りきらない残りの素材をまな板上で細かく滅多切りにするやり方であった。【０００４】  しかし、このやり方では、粗くなってしまった部分や最後に手中に残ってしまった素材部分を、繊維の方向は構わずに、包丁でトントンと刻んで大粒すぎるものを見つけて包丁で一粒ずつ刻む面倒な作業を必要とし、得られたみじん切りの粒は切り目の方向も形状も大きさも不揃いであった。また、素材を直に手で掴んで包丁を使う作業は不慣れな子供や握力の少ない人には安全とは言えない作業であった。【０００５】  以上のように、手でみじん切りを作るのは明らかに面倒である。しかし、面倒であるからといって適当に粗く切ると口当たりが悪くなって美味しさが半減することも一般に知られている。玉ねぎやニンニク、しょうが等のみじん切りは、ハンバーグをはじめミートソース、コロッケ、タルタルソース等々の料理に加えると味に甘みやうまみがプラスされることもよく知られている。【０００６】  従来求められてきたことは、安全に確実に玉葱の繊維に直角な切り目の入った均一な形状の粒のみじん切りを得る器具の実現であった。
【発明の概要】
【発明が解決しようとする課題】
【０００７】  本発明は、従来のやり方の欠点を解決した、安全に楽に素材の繊維に直角な切り目の入ったサイコロ状の均一な粒のみじん切り装置を提供することを目的とするものである。
【課題を解決するための手段】
【０００８】  本発明は上記目的を達成するために、長方形の板の上面に水平な床面を有し前記床面を長手方向で３分するよう２箇所に高さが１〜１０ミリの段差を設け前記段差のそれぞれは段差の隙間を有し中間の床が他の床面よりも段差分だけ低い床であって前記中間の低い方の床面上に刃渡りが前記段差の高さの２〜２．５倍の長さである複数の先の尖った両刃の切り目入れ刃を長手方向に平行に刃の尖端を真上に向けて横並びに間隔をあけて設け、前記中間の床を挟む両側の二つの床のそれぞれの段差側の縁に切り削ぎ刃を中間の床方向に向けて水平に設けた刃付き床板と、素材を捕捉して支持固定する保持手段と素材を垂直軸周りに９０度回転させる回転手段とを有する素材保持回転部とで、みじん切り装置を構成している。【０００９】  本発明は、上記構成によって、素材表面に縦の切り目を入れ次にその切り目の向きを９０度回転させて横の切り目に変えさらに縦の切り目を加え入れ、そのようにして縦横十文字に切り目が入った素材表面を切り削ぎ刃で切り削ぐことにより、素材をサイコロ状の均一な粒のみじん切りにする装置である。【００１０】  上記の構成要素の一つである刃付き床板の切り目入れ刃同志は必ずしも真横に横並びである必要はなく、刃付き床板の長手方向にずらして設けてもよい。【００１１】  上記の構成要素の一つである素材保持回転部は、垂直軸周りに回転することのできる剣山であって複数の下向きの剣先と遠心方向に水平に突き出た回転駆動バーとを有する剣山と、前記剣山の回転駆動バーを駆動することにより剣山を９０度回転させることのできる駆動具を有する保護カバーと、支持脚と、前記支持脚を収納する鞘部とを有している。【００１２】  上記保護カバーは素材保持回転部に被せて保護カバーの両縁を摺動用レールに乗せて摺動するよう設けてある。【００１３】  上記構成により、素材保持回転部は素材を捕捉して支持固定する保持手段と素材を垂直軸周りに９０度回転させる回転手段とを実現している。【００１４】  以下に、本発明の構成要素の動作を説明する。本説明では、刃付き床板の長手方向の中間の低い床を正面に見、両側の高い床を左と右に見る位置で説明する。【００１５】  まず、右床上で素材保持回転部の剣山で素材を捕捉し保持し、次に保護カバーを押して左方向への移動を開始させると、保護カバーが摺動用レール上を摺動し駆動具が剣山の回転駆動バーを動かし剣山が９０度回転して剣山が保持している素材の向を９０度変える。【００１６】  剣山を９０度回転させ終わった時点に保護カバーの内側が素材保持回転部の縁に突き当り保護カバーが素材保持回転部を押し始め素材保持回転部が移動して中間の床面上の両刃の切り目入れ刃が素材表面に前記段差の高さの２〜２．５倍の長さである複数の縦に平行な切り目を入れ、そのようにして縦横十文字に切り目の入った素材表面を切り削ぎ刃が段差の高さの厚さ分だけ水平に切り削ぐことにより、サイコロ状の均一な粒のみじん切りが得られ段差の間隙を通って下へ出てくる。このとき切り削がれずに素材表面に残った切り目は段差の１〜１．５倍の深さの複数の縦に平行な切り目であり次回の切り削ぎ時には複数の横に平行な切り目として切り削がれる。ここまでが素材保持回転部が刃付き床板上を右端から左端までの片道を移動する間に実行される動作である。【００１７】  次に、保護カバーを押して右方向への移動を開始させると、この後実行される一連の動作は素材保持回転部が刃付き床板上を端から左端まで移動する間に実行された上記動作と全く同じ動作が実行されていき、縦横十文字に切り目の入った素材表面を切り削ぎ刃が段差の高さの厚さ分だけ水平に切り削ぐことにより、サイコロ状の均一な粒のみじん切りが得られ段差の隙間を通って下へ出てくる。ここにおいても、切り削がれずに素材表面に残った切り目は段差の１〜１．５倍の深さの複数の縦に平行な切り目であり次回の切り削ぎ時に複数の横に平行な切り目として切り削がれる。ここまでが素材保持回転部が刃付き床板上を左端から右端までの片道を移動する間に実行される動作である。【００１８】  上記のように、手で保護カバーを押して素材保持回転部を刃付き床板上で左右に往復移動させるだけで均一な粒のみじん切りを得ることができる。しかも素材保持回転部の往復運動の往きの片道にみじん切りが段差の隙間から下へ出て来、帰りの片道にもみじん切りが段差の隙間から下へ出て来ることを実現している。すなわち、一往復に削ぎ切りを二度行ってサイコロ状の均一なつぶのみじん切りを得ている。【００１９】  素材保持回転部は長い支持脚を有しており、架台上に載った鞘部に緩く差し込まれている。剣山に保持された素材が切り削ぎ刃によって次第に切り削がれて目減りしていくと支持脚が鞘部中に収納されていき、素材保持回転部全体が下降していき、剣山の剣先が刃付き床板の切り目入れ刃の刃先に至近になると、支持脚に設けられた摺動用レールが鞘部に突き当たるので素材保持回転部の下降が安全に止まることができる。【００２０】  以上のように、本発明は、人が容易に作業ができるみじん切り装置を実現しており、従来のやり方の欠点を解決した道具を提供する目的を達成している。
【発明の効果】
【００２１】  上述したように本発明のみじん切り装置は、人が素手で刃物を扱うやり難い手作業を誰でも安全に楽に操作できるシンプルな部品構成の調理用具を提供することができる。
【図面の簡単な説明】
【００２２】
【図１】本発明の実施の形態を示すみじん切り装置の全体外観図
【図２】同保護カバーの外観図
【図３】同素材保持回転部の外観図
【図４】同鞘部の外観図
【図５】同切り目入れ刃の並び方を変えた場合の刃付き床板の外観図
【実施例】
【００２３】  以下、本発明の実施例を図１〜図５に基づいて説明する。【００２４】  図においては、１は刃付き床板、２は素材保持回転部、３は切り削ぎ刃、４は切り目入れ刃、５は段差、６は剣山、７は回転駆動バー、８は保護カバー、９は回転駆動バーに緩く接続される駆動具、１０は支持脚、１１は支持脚を収納する鞘部、１２は保護カバーを乗せる摺動用レール、１３は刃付き床板の脚部、１４は高い方の床、１５は中間の低い方の床、１６は素材保持回転部の縁、１７は保護カバーの内側である。【００２５】  以下に、本発明の構成要素の動作を説明する。本説明では、刃付き床板の長手方向の中間の低い床を正面に見、両側の高い床を左右にみて説明する。【００２６】  まず、右床上で素材保持回転部２の剣山６で素材を捕捉し保持し、次に保護カバー８を押して右から左方向への移動を開始させると、保護カバー８が摺動用レール上を摺動し駆動具９が剣山６の回転駆動バー７を動かし剣山６が９０度回転する。剣山６が保持している素材表面に段差５の１〜１．５倍の深さの複数の縦に平行な切り目が入れられてあれば、その素材の向きが９０度変わる。剣山６を９０度回転させ終わった時点に保護カバー８の内側１７が素材保持回転部の縁１６に突き当り保護カバー８が素材保持回転部２を押し始め素材保持回転部２が移動して中間の床面上の両刃の切り目入れ刃４が素材表面に前記段差の高さの２〜２．５倍の長さである複数の縦に平行な切り目を入れ、そのようにして縦横十文字に切り目の入った素材表面を切り削ぎ刃３が段差の高さの厚さ分だけ水平に切り削ぐことにより、サイコロ状の均一な粒のみじん切りが得られ段差５の間隙を通って下へ出てくる。このとき切り削がれずに素材表面に残った切り目は段差の１〜１．５倍の深さの複数の縦に平行な切り目であり次回の切り削ぎ時には複数の横に平行な切り目として切り削がれる。ここまでが素材保持回転部２が刃付き床板１上を右端から左端までの片道を移動する間に実行される動作である。【００２８】  次に保護カバー８を押して左から右方向への移動を開始すると、以下に実行される一連の動作は素材保持回転部２が刃付き床板１上を右端から左端まで移動する間に実行される動作と同じである。即ち、保護カバー８が摺動用レール１２上を摺動して保護カバー８の駆動具９が回転駆動バー７を動かすことにより剣山６が９０度回転して素材表面に残っている前回中間の剣山６が保持している素材表面に入っている段差５の１〜１．５倍の深さの複数の縦に平行な切り目の向を９０度変える。剣山６を９０度回転させ終わった時点に保護カバー８の内側１７が素材保持回転部の縁１６に突き当り保護カバー８が素材保持回転部２を押し始め素材保持回転部２が移動して中間の床面上の両刃の切り目入れ刃４が素材表面に前記段差の高さの２〜２．５倍の長さである複数の縦に平行な切り目を入れ、そのようにして縦横十文字に切り目の入った素材表面を切り削ぎ刃３が段差の高さの厚さ分だけ水平に切り削ぎ、サイコロ状の均一な粒のみじん切りが得られ段差５の間隙を通って下へ出てくる。このとき切り削がれずに素材表面に残った切り目は段差の１〜１．５倍の深さの複数の縦に平行な切り目であり次回の切り削ぎ時には複数の横に��行な切り目として切り削がれる。ここまでが素材保持回転部２が刃付き床板１上を左端から右端までの片道を移動する間に実行される動作である。【００２９】    切り削ぎ刃３によって次第に切り削がれて目減りしていくと、支持脚１０が鞘部１１中に収納されていき、素材保持回転部２全体が下降していき、剣山６の剣先が刃付き床板１の切り目入れ刃４の刃先に至近になると、支持脚１０に設けられた摺動用レール１２が鞘部１１に突き当たり素材保持回転部２の下降を安全に止めることができる。【００３０】  上記のように、手で保護カバーを押して素材保持回転部を刃付き床板上で左右に往復移動させるだけで均一な粒のみじん切りを得ることができる。しかも素材保持回転部の往復運動の往きの片道にみじん切りが段差の隙間から下へ出て来、帰りの片道にもみじん切りが段差の隙間から下へ出て来ることを実現している。すなわち、一往復に削ぎ切りを二度行ってサイコロ状の均一な粒のみじん切りを得ている。
【符号の説明】
【００３１】  １  刃付き床板
２  素材保持回転部
３  切り削ぎ刃
４  切り目入れ刃
５  段差
６  剣山
７  回転駆動バー
８  保護カバー
９  駆動具
１０  支持脚
１１  鞘部
１２  摺動用レール
１３  刃付き床板の脚
１４  高い方の床
１５  中間の低い方の床
１６  素材保持回転部の縁
１７  保護カバーの内側
【図１】
2018094709.tif 000003
【図２】
2018094709.tif 000004
【図３】
2018094709.tif 000005
【図４】
2018094709.tif 000006
【図５】
2018094709.tif 000007
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
第１の刃と第２の刃及び第３の刃を順に装置した刃付き床板と、前記床板の上部に往復する材料保持部と、前記材料保持部に設置した回転部とを備え、前記材料保持部に材料を投入し前記回転部を回転させると共に前記床板に沿って前記材料保持部を移動させることを特徴とするみじん切り装置。
【請求項２】
前記刃付き床板の床面は長手方向の２箇所に段差のすき間を有し、両段差の間の第２の床面が他の第１の床面及び第３の床面よりも段差のすき間分だけ低い床面であって、前記第１の床面の縁に前記第１の刃を第２の床面の方向に向け水平に設け、前記第２の床面の中央位置に前記第２の刃複数を矛先を真上に向け横並びに配置して設け、前記第３の床面の縁に前記第３の刃を第２の床面の方向に向け水平に設けることを特徴とする請求項１に記載のみじん切り装置。
【請求項３】
前記第２の刃は、矛先が尖った両刃の刃であって床面から矛先までの垂直の刃渡りの寸法が第１の段差のすき間の高さと第２の段差のすき間の高さの和よりも大きい寸法の刃であることを特徴とする請求項１又は２に記載のみじん切り装置。
【手続補正２】
【補正対象書類名】明細書
【補正対象項目名】全文
【補正方法】変更
【補正の内容】
【発明の詳細な説明】
【技術分野】
【０００１】  本発明は玉ねぎ等の固形材料をみじん切りにする道具に関する。
【背景技術】
【０００２】  従来、玉ねぎをみじん切りにする方法として知られている人手による方法は、先ず玉ねぎを縦半分に切り、切り口を下にして置き、根元を切り離さないように繊維に沿って縦に数ミリ間隔で切り目を入れ、次に水平に２、３本切り込みを入れ、繊維と直角に細かく切っていき、粗くなってしまった分や最後に残ってしまった部分は、まとめてまな板上でトントと刻むやり方であったが、このやり方では、得られたみじん切りの粒は切り目の方向も形状も大きさも不揃いであった上、素手で玉ねぎと包丁を掴んで行うやり難い作業であり不慣れな子供や握力の少ない人には安全とは言えない作業であった。【０００３】  従来求められてきたことは、安全に確実に玉ねぎの繊維と直角な切り目で均一な形状の粒のみじん切りを得る器具の実現であった。
【発明の概要】
【発明が解決しようとする課題】
【０００４】  従来のやり方は、濡れた丸い形状の玉ねぎを手指で掴んでまな板上に押し付け、包丁を素手で持ち、玉ねぎに幾つも縦に平行な切り目と水平に平行な切り目とを入れる手作業であり、途中で玉ねぎが切り削がれて少なくなると、手指でしっかり掴んでいられなくなり根元を切り離してまな板上で滅多切りする作業に移るのが実際であり、得られた粒は、大半が切り目の方向も形状も大きさも不揃いであった。本発明は、前記従来のやり方の欠点を解決し、玉ねぎや刃物をじかに手で掴まずに安全に、材料を残らず繊維と直角な切り目で均一なサイコロ状の粒のみじん切りにする装置を提供することを目的とするものである。
【課題を解決するための手段】
【０００５】  本発明は上記目的を達成するために、床板の長手方向を３分するよう２箇所に段差を設け、前記段差のそれぞれが段差のすき間を有し、両方の段差の間の床面が他の床面よりも段差のすき間分だけ低い床であって、前記中間の低い方の床面の中央位置に複数の先が尖った両刃の刃を刃面が長手方向と平行になるよう且つ矛先を真上に向け横並びに間隔をあけて設置して設け、前記２つの段差の縁に水平刃をそれぞれ中間の床方向に向けて設けた刃付き床板と、材料の上部を捕捉して支持固定する保持手段と材料を垂直軸周りに４分の１回転させる回転手段とを有する材料保持部とで、みじん切り装置を構成している。【０００６】  本発明は、上記構成によって、材料表面に縦の切り目を入れ次にその切り目の向きを４分の１回転させて横の切り目に変え、さらに縦の切り目を加え入れ、そのようにして縦横十文字に切り目が入った材料表面を切り削ぎ刃で切り削ぐことにより、材料をサイコロ状の均一な粒のみじん切りにする装置である。【０００７】  上記の構成要素の一つである前記切り目入れ刃は、刃渡りの長さが第１の段差のすき間の高さと第２の段差のすき間の高さの和よりも大きい刃である。また、前記切り目入れ刃同志は必ずしも真横に横並びである必要はなく、刃付き床板の長手方向と平行にずらして設けてもよい。【０００８】  上記の構成要素の一つである材料保持部は、垂直軸周りに回転することのできる剣山であって複数の下向きの剣先と回転軸に対して遠心方向に突き出た回転駆動把手とを有する剣山と、前記剣山の回転駆動把手を動かすための駆動具を有する保護カバーと、支持脚と、前記支持脚を収納する鞘部とを有している。前記剣山に直結した回転駆動把手を動かすことにより剣山を回転させて材料を４分の１回転させることができる。前記保護カバーが移動すると、前記保護カバーに設けられた駆動具が前記回転駆動把手を押すことにより剣山が回転する。【０００９】  上記保護カバーは材料保持部に被せて保護カバーの両縁を摺動用レールに乗せて摺動するよう設けてある。前記駆動具の代わりに手動で前記駆動具を押して動かすこともできる。【００１０】  以下に、本発明の構成要素の動作を説明する。本説明では刃付き床板の両端を左と右に見る位置で説明する。【００１１】  まず、材料を刃付き床板の右の床上に置き、材料保持部を材料の真上に移動し手で回転部を押し下げることにより剣山で材料を突き刺し保持する。【００１２】  次に、手で保護カバーを左方向に押して移動を開始し、保護カバーの駆動具が剣山を９０度回転させる。この時材料表面に縦に平行な切り目が入っていれば、その切り目の向きが横に平行な切り目に変わる。保護カバーが材料保持部を押し、材料表面に複数の縦に平行な切り目を入れ、そのようにして縦横十文字に切り目の入った材料表面を次に水平な切り削ぎ刃が段差のすき間の高さ分の厚さだけ水平に切り削ぐことにより、サイコロ状の均一な粒のみじん切りが段差のすき間から出てくる。材料表面には先程切り削がれずに残された複数の縦に平行な切り目が残っている。材料保持部は左の床上に至る。ここまでが材料保持部が刃付き床板上を右端から左端まで移動する間に実行される動作である。【００１３】  次に、方向を変えて、手で保護カバーを右方向への押して移動を開始すると、前記材料保持部が刃付き床板上を右端から左端まで移動する間に実行された動作と同様に、最初に保護カバーだけが摺動用レール上を摺動して保護カバーの駆動具が回転駆動把手を動かして剣山を９０度回転させる。これにより前の工程で材料表面に切り削がれずに残された複数の縦に平行な切り目が複数の横に平行な切り目に変わる。次に、前記剣山が回転し終わった時点に保護カバーの内側が材料保持部の縁に突き当り、保護カバーが材料保持部を押し始め、材料保持部が移動し、中間の床面上の垂直刃が材料表面に新たな複数の縦に平行な切り目を入れる。そのようにして縦横十文字に切り目が入った材料表面を切り削ぎ刃が段差のすき間の高さ分の厚さだけ水平に切り削ぐことにより、サイコロ状の均一な粒のみじん切りが段差のすき間を通って下に出てくる。ここで材料表面には先程切り削がれずに残された複数の縦に平行な切り目が残っている。材料保持部は右の床上に至る。ここまでが材料保持部が刃付き床板上を左端から右端まで移動する間に実行される動作である。【００１４】  上記のように、手で保護カバーを押して材料保持部を刃付き床板上で左右に往復移動させるだけで、その往路と復路のそれぞれの移動毎にサイコロ状の均一な粒のみじん切りを得ることを実現している。【００１５】  上記材料保持部は長い支持脚を有しており、架台上に載った鞘部に緩く差し込まれている。剣山に保持された材料が切り削ぎ刃によって切り削がれて次第に目減りしていくと材料保持部の長い支持脚が鞘部中に収納され下がっていき、保護カバーと共に材料保持部全体が下降していく。材料保持部全体の下降が進行することにより剣山の剣先が刃付き床板の切り目入れ刃の刃先に至近になると、長い支持脚の付け根に設けた摺動用レールが鞘部に突き当たってそれ以上の材料保持部の下降に歯止めが掛かり下降が安全に止まる。これにより、剣山で捕捉されて支持された材料のわずかな部分以外を残らず均一の粒のみじん切りにすることが可能となる。【００１６】  以上のように、本発明は、材料をみじん切りにするまでの工程で人が安全に作業ができるみじん切り装置を実現することにより、従来のやり方の欠点を解決した道具を提供する目的を達成している。
【発明の効果】
【００１７】  上述したように本発明のみじん切り装置は、人が素手で刃物を扱うやり難い手作業を誰でも安全に楽に操作できるシンプルな部品構成の調理用具を提供することができる。
【図面の簡単な説明】
【００１８】
【図１】本発明の実施の形態を示すみじん切り装置の外観図
【図２】同保護カバーの外観図
【図３】同材料保持部の外観図
【図４】同鞘部の外観図
【図５】同刃付き床板上の切り目入れ刃の並び方が長手方向の前後にずらした並べ方である場合の外観図
【実施例】
【００１９】  以下、本発明の実施例を図１〜図５に基づいて説明する。【００２０】  図においては、１は刃付き床板、２は材料保持部、３は切り削ぎ刃、４は切り目入れ刃、５は段差のすき間、６は剣山、７は回転駆動把手。８は保護カバー、９は駆動具、１０は支持脚、１１は鞘部、１２は摺動用レール、１３は刃付き床板の脚、１４は高い方の床、１５は中間の低い方の床、１６は材料保持部の縁、１７は保護カバーの内側である。【００２１】  以下、上記構成の動作を説明する。本説明では、刃付き床板の長手方向を左右方向として見た場合で説明する。【００２２】  最初に、材料を刃付き床板の右の高い方の床１４上に置き、材料上部を剣山６で捕捉して保持する。【００２３】  手で保護カバー８を左方向に押して移動を開始させると、保護カバー８が摺動用レール１２上を摺動し保護カバー８の駆動具９が剣山６の回転駆動把手７を動かし剣山６が９０度回転する。もし材料表面に複数の縦に平行な切り目が入れられてあれば、その切り目の向きが横に平行な切り目に変わる。剣山６を回転させ終わった時点に保護カバー８の内側１７が材料保持部の縁１６に突き当り保護カバーの内側１７が材料保持部２を押し始め、材料保持部２が移動して中間の低い方の床１５上の刃渡りが前記第１の段差のすき間５の高さと第２の段差のすき間５の高さの和よりも大きい長さの垂直な両刃の切り目入れ刃４によって材料表面に前記刃渡りの長さ分の深さの複数の縦に平行な切り目を入れ、そのようにして縦横十文字に切り目を入れられた材料表面が切り削ぎ刃３により水平に段差のすき間５の高さ分だけ切り削がれ、サイコロ状の均一な粒のみじん切りが段差のすき間５を通って下へ出てくる。材料保持部２は左の高い方の床１４上に至る。【００２４】  次に、材料保持部２の保護カバー８を手で右方向に押して移動を開始する。これより実行される動作は材料保持部２が刃付き床板１上を右端から左端まで移動する間に実行される動作と同じである。即ち、保護カバー８が摺動用レール１２上を摺動して保護カバー８の駆動具９が回転駆動把手７を動かすことにより剣山６が９０度回転して材料表面に残っている前回中間の床上を移動した時に切り目入れ刃によって入れられた複数の縦に平行な切り目の向きが横に平行な切り目に変わる。剣山６を９０度回転させ終わった時点に保護カバー８の内側１７が材料保持部２の縁１６に突き当り保護カバー８が材料保持部２を押し始め、材料保持部２が移動して中間の低い方の床１５面上の直立した両刃の切り目入れ刃４が材料表面に複数の縦に平行な切り目を加え入れ、その直後に縦横十文字に切り目の入った材料表面を切り削ぎ刃３が段差のすき間５の高さ分だけ水平に切り削がれ、サイコロ状の均一な粒のみじん切りが段差のすき間５を通って下へ出てくる。材料保持部２は右の高い方の床１４上に至る。【００２５】  剣山６に保持された材料が繰返し切り削がれて次第に少なくなっていくと支持脚１０が鞘部１１中に収納されていき材料保持部２全体が下降していき、剣山６の剣先が切り目入れ刃３の刃先に至近になったとき長い支持脚１０の付け根に設けた摺動用レール１２が鞘部１１に突き当たりそれ以上の材料保持部２の下降を止める。【００２６】  上記の��うに、手で保護カバーを押して材料保持部を刃付き床板上で往復移動させることを繰り返すことにより、材料保持部が捕捉している材料全部を均一な粒のみじん切りにすることを実現している。
【符号の説明】
【００２７】  １  刃付き床板
２  材料保持部
３  切り削ぎ刃
４  切り目入れ刃
５  段差のすき間
６  剣山
７  回転駆動把手
８  保護カバー
９  駆動具
１０  支持脚
１１  鞘部
１２  摺動用レール
１３  刃付き床板の脚
１４  高い方の床
１５  中間の低い方の床
１６  材料保持部の縁
１７  保護カバーの内側
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
床板の長手方向を３分するよう２箇所に段差を設け、前記段差はそれぞれが段差の隙間を有し前記２箇所の段差の隙間は同間隔Ｄであって、両方の段差の間の中間の床面が他の床面よりも段差の隙間分だけ低い床であって、前記中間の床面の中央位置に刃先が尖った両刃の刃を刃面が長手方向と平行になるよう且つ刃先を真上に向けて床幅いっぱいに横並びに同間隔Ｈの間隔をあけて林立させて設置した複数の直立刃を設け、前記２つの段差の隙間の高い方の床面の段差の上縁に床幅いっぱいの刃渡りの刃を刃面が高い方の床面と同一の平面になるよう且つ刃の向きをそれぞれ前記中間の床面方向に向けて設置した２つ水平刃を設けた刃付き床板と、材料の上部を捕捉して支持固定する保持手段と材料を垂直軸周りに４分の一回転させる回転手段とを有する材料保持部とで構成されており、前記複数の直立刃の刃渡りの床面から刃先までの垂直高さＢが前記段差の隙間の間隔Ｄの少なくとも２倍より大きい刃渡りであることを特徴とするみじん切り装置であって、前記材料保持部に材料を投入し前記刃付き床板上を、両端の高い方の床面に来る度に材料を４分の一回転させる操作を入れつつ、往復移動させることにより、たてＨ×よこＨ×たかさＤのサイズの粒のサイコロ状のみじん切りを段差の隙間を通して得るみじん切り装置。